(57)【要約】【課題】  ランプクールダウンの短時間での終了とランプクールダウン時の低騒音化との双方に対処可能にする。【解決手段】  ランプ１と、ランプ１からの光を入射してそれを画像情報に応じて変調する液晶パネル２Ｒ，２Ｇ，２Ｂと、該液晶パネルからの変調光を投写する投写レンズ５と、ランプ１を冷却するファン８と、ランプ１、液晶パネル２Ｒ，２Ｇ，２Ｂおよびファン８を制御する制御部７と、プロジェクタを操作するための操作部９とを備え、ランプ１が操作部９に対するプロジェクタ外部からの操作により消灯したときにはファン８を高速回転させてランプ１をクールダウンし、ランプ１が外部からの操作によることなく制御部７に予め設定した作用により自動的に消灯したときには、ファン８を低速回転させてランプ１をクールダウンするようにしたプロジェクタ。【選択図】  図１
2005227537.tif 000002
【特許請求の範囲】
【請求項１】
光源と、該光源からの光を入射してそれを画像情報に応じて変調する光変調装置と、該変調装置からの変調光を投写する投写レンズと、前記光源を冷却するファンと、前記光源、前記光変調装置及び前記ファンを制御する制御部と、プロジェクタを操作するための操作部とを備え、
前記光源が前記操作部に対するプロジェクタ外部からの操作により消灯したときには前記ファンを高速回転させて前記光源をクールダウンし、前記光源が前記外部からの操作によることなく前記制御部に予め設定した作用により自動的に消灯したときには前記ファンを低速回転させて前記光源をクールダウンすることを特徴とするプロジェクタ。
【請求項２】
前記制御部の作用が、プロジェクタに備えられたタイマーに予め設定入力された時間の経過後前記光源を消灯する作用であることを特徴とする請求項１記載のプロジェクタ。
【請求項３】
前記制御部の作用が、プロジェクタに対して予め定めた所定時間画像情報の入力がない場合に前記光源を消灯する作用であることを特徴とする請求項１記載のプロジェクタ。
【請求項４】
前記制御部の作用が、前記操作部に対して予め定めた所定時間プロジェクタ外部からの操作入力がない場合に前記光源を消灯する作用であることを特徴とする請求項１記載のプロジェクタ。
【請求項５】
前記ファンを低速回転中に前記操作部に対して前記ファンを高速回転させる操作が加えられた場合には、該ファンを高速回転へ変更して前記光源をクールダウンすることを特徴とする請求項１ないし４のいずれかに記載のプロジェクタ。
【発明の詳細な説明】
【技術分野】
【０００１】
本発明はプロジェクタ内の光源を冷却する機能を備えたプロジェクタに関する。
【背景技術】
【０００２】
プロジェクタの光源は、それが点灯されていた後、プロジェクタの電源のＯＦＦ等によりその光源が消灯された場合には、点灯により高温となった光源をファンを利用して冷却するクールダウン処理が行われている。このクールダウン処理に要する時間は通常はできるだけ短時間が好ましいので、ファンをできるだけ高速で回転させてそれを行っている（例えば、特許文献１）。
【特許文献１】特開２００３−２４８２６９号公報
【発明の開示】
【発明が解決しようとする課題】
【０００３】
現在では映画鑑賞やスポーツ観戦用にプロジェクタが家庭内にも普及しつつあるが、家庭内でプロジェクタを利用する場合には、プロジェクタをつけたまま寝入ってしまう場合が想定される。そのような場合には、所定時間経過後にプロジェクタの電源を自動的にＯＦＦにすることが考えられる。ただし、プロジェクタの電源をＯＦＦにすると、上記のクールダウン機能が作用して、ファンが高速回転を始める。ファンが高速回転を始めると、狭い部屋や深夜においてはファンの回転音がかなりの騒音となり、それがプロジェクタの投写画像を見ながら寝入ってしまった人やその周りの人を悩ます恐れがある。
本発明は上記課題を解決するためになされたもので、光源消灯時にファンにより行われる該光源のクールダウンの態様を、その消灯状況に応じて適切に相違させることで、クールダウンの短時間での終了とクールダウン時の低騒音化との双方に対処したプロジェクタを提供することを目的とする。
【課題を解決するための手段】
【０００４】
本発明のプロジェクタは、光源と、該光源からの光を入射してそれを画像情報に応じて変調する光変調装置と、該変調装置からの変調光を投写する投写レンズと、前記光源を冷却するファンと、前記光源、前記光変調装置及び前記ファンを制御する制御部と、プロジェクタを操作するための操作部とを備え、前記光源が前記操作部に対するプロジェクタ外部からの操作により消灯したときには前記ファンを高速回転させて前記光源をクールダウンし、前記光源が前記外部からの操作によることなく前記制御部に予め設定した作用により自動的に消灯したときには前記ファンを低速回転させて前記光源をクールダウンすることを特徴とする。これにより、利用者がプロジェクタを意識的に停止した場合にはファンの高速回転によるクールダウンとなり、一方、プロジェクタが自動的に停止した場合にはファンの低速回転によるクールダウンとなる。従って、通常は短時間でクールダウンが終了する一方、プロジェクタの画像を見ながら寝入ったような場合等にはクールダウン時の騒音低減が図れる。
【０００５】
また、前記制御部の作用が、プロジェクタに備えられたタイマーに予め設定入力された時間の経過後前記光源を消灯する作用、プロジェクタに対して予め定めた所定時間画像情報の入力がない場合に前記光源を消灯する作用、あるいは前記操作部に対して予め定めた所定時間プロジェクタ外部からの操作入力がない場合に前記光源を消灯する作用であることを特徴とする。これらにより、光源を自動的に消灯させること及びそれに引き続くクールダウンを低騒音で行うことが可能となる。
【０００６】
さらに、前記ファンを低速回転中に前記操作部に対して前記ファンを高速回転させる操作が加えられた場合には、該ファンを高速回転へ変更して前記光源をクールダウンすることを特徴とする。これにより、低速回転によるクールダウン中であっても、希望する場合には高速回転によるクールダウンへ変更してその処理時間を短縮することができる。
【発明を実施するための最良の形態】
【０００７】
（プロジェクタの構成）
図１は本発明の実施形態に係るプロジェクタの構成を示すブロック図である。このプロジェクタは、図示するように、光源としてのランプ１、ランプ１からの照明光を赤（Ｒ）、緑（Ｇ）、青（Ｂ）の光に分離するダイクロイックミラー等から構成される色光分離光学系３、分離された各色光を入射しそれを所定の画像情報に従って変調し画像を生成する変調装置としての液晶パネル２Ｒ，２Ｇ，２Ｂ、各液晶パネル２Ｒ，２Ｇ，２Ｂからの変調光を合成するクロスダイクロイックプリズム４、合成された変調光を投写する投写レンズ５を備える。このプロジェクタはまた、ランプ１を駆動するランプ駆動回路１Ａ、外部からの画像信号が入力される画像信号入力部２Ｉ、液晶パネル２Ｒ，２Ｇ，２Ｂに画像信号入力部２Ｉからの画像信号入力に基づく所定の情報を供給する画像処理回路２、音声出力ためのスピーカ６及び音声処理回路６Ａ、ランプ１を冷却するためのファン８、ファン８を駆動するファン駆動回路８Ａ等有し、それらの各部がＣＰＵ等からなる制御部７により制御されている。
【０００８】
このプロジェクタはさらに、プロジェクタを操作するための各種操作スイッチ等が備えられた操作部９、外部の商業電源に接続されてプロジェクタ内の電力供給源となる電源部１０、及びランプ１の温度を監視する温度センサ１１が備えられ、それらも制御部７により制御されている。なお、操作部９には、プロジェクタを投写可能なＯＮ状態または投写不能なＯＦＦ状態のいずれかの状態に切り替える電源スイッチ９Ａ、時間の設定入力が可能で設定された時間を監視するタイマー９Ｂ、ファン８の回転速度を低速（第１速）から高速（第２速）へ切り替える切替スイッチ９Ｃ、及び投写に関連する制御を行う各種の投写制御ボタン（図示せず）等が配置される。
【０００９】
（プロジェクタの作用）
上記プロジェクタは、操作部９の電源スイッチ９ＡがＯＮとされることでプロジェクタの電源がＯＮ状態となり、ランプ１が点灯しファン８が回転する等して、投写レンズ５からの画像投写が可能なスタンバイ状態となる。この状態で操作部９の投写制御ボタンを操作して、所望の画像を所望の投写態様で投写レンズ５から投写する。また、この投写中にも投写制御ボタンの操作によりその投写態様は調整される。これに対して、プロジェクタの電源は、次の（１）または（２）の態様によりＯＮからＯＦＦにされ、これに連動してランプ１も消灯する。そして、ランプ１の消灯態様に応じてランプ１のクールダウン処理が行われた後、プロジェクタは完全に停止する。なお、このクールダウン処理は制御部７に設定された作用により自動的に実行される。
【００１０】
（プロジェクタの電源ＯＦＦの態様）
（１）操作部９の電源スイッチ９ＡをＯＦＦにしてプロジェクタの電源ＯＦＦにする。
（２）操作部９への操作によることなく、制御部７に予め設定した作用により自動的にプロジェクタの電源ＯＦＦにする。この具体的な例としては、
（２ａ）プロジェクタを利用しようとする時間を予め定めてその時間を操作部９のタイマー９Ｂに設定入力しておき、その設定時間経過後、制御部７の作用によりプロジェクタの電源をＯＦＦにする、
（２ｂ）画像処理回路２に対して予め定めた所定時間画像情報の入力がない場合に、その時間経過後、制御部７の作用によりプロジェクタの電源をＯＦＦにする、
（２ｃ）操作部９に対して予め定めた所定時間プロジェクタ外部からの操作入力がない場合に、その時間経過後、制御部７の作用によりプロジェクタの電源をＯＦＦにする、ことが考えられる。
【００１１】
（クールダウン処理の例その１）
上記（１）の態様でプロジェクタの電源がＯＦＦされた場合は、ランプ１の消灯後、ファン８を高速（第２速）、例えばほぼフルパワーに近い速度で回転させてランプ１を冷却する。そして、ランプ１が予め定めた温度になるとファン８が停止する。これによれば、短時間でランプ１のクールダウン処理が終了するので、プロジェクタ使用後にその電源コンセントを抜いてプロジェクタを移動させる場合等に適している。
【００１２】
（クールダウン処理の例その２）
上記２のいずれかの態様２ａ〜２ｃでプロジェクタの電源がＯＦＦされた場合は、ランプ１の消灯後、ファン８を低速（第１速）、例えばファン８の回転音が騒音とならない程度の回転速度で回転させてランプ１を冷却する。そして、ランプ１が予め定めた温度になるとファン８が停止する。これによれば、ランプ１のクールダウン処理に要する時間は少し長くなるが、クールダウンが低騒音で実行されるため、プロジェクタの投写画像を見ながら寝入ってしまった場合などに適している。なお、この低速（第１速）は、環境に応じて、例えば高速（第２速）の５割、６割、７割等の速度に選択できるようにしても良い。
【００１３】
ところで、上記例その２において、そこで設定等した時間が経過する前に、操作部９の電源スイッチ９ＡをＯＦＦした場合には、プロジェクタの終了態様は上記例その１で説明した態様となる。また、上記例その２の態様に従ってファン８が低速（第１速）で回転している場合でも、操作部９に備えられた切替スイッチ９Ｃを操作することで、高速（第２速）回転へ切り替えることを可能としている。
【００１４】
図２は上記プロジェクタ内のランプのクールダウン処理を示すフローチャートである。このクールダウン処理は、プロジェクタの電源がＯＮ状態からＯＦＦ状態に切り替わること等により、それまで点灯していたランプ１が消灯した時に開始するが、プロジェクタ電源のＯＦＦへの切り替わりの態様、すなわちランプ１の消灯態様によってその処理態様が相違する。
【００１５】
まず、操作部９の電源スイッチ９Ａによりプロジェクタの電源がＯＦＦした場合には（Ｓ１）、制御部７及びファン駆動回路８Ａによりファン８を高速で回転させてランプ１を冷却する（Ｓ２）。その場合、温度センサ１１がランプ１の温度を監視しており（Ｓ３）、その温度が予め定めた温度になるまでファン８が高速回転され（Ｓ２）。そして、ランプ１の温度が予め定めた温度になるとファン８を停止してクールダウン処理を終了する（Ｓ４）。
【００１６】
これに対して、タイマー９Ｂへの時間設定入力により、画像処理回路２に対して予め定めた所定時間画像情報の入力がないことにより、あるいは操作部９に対して予め定めた所定時間プロジェクタ外部からの操作入力がないことにより、プロジェクタ電源がＯＦＦした場合には（Ｓ６）、制御部７及びファン駆動回路８Ａによりファン８を低速で回転させてランプ１を冷却する（Ｓ７）。その低速回転中は、切替スイッチ９Ｃからの入力の有無を監視し（Ｓ８）、その入力がなければファン８をそのまま低速回転させ（Ｓ７）、その入力があった場合にはファン８を高速回転に切り替える（Ｓ２）。ランプ１の温度は温度センサ１１により監視されており（Ｓ３，Ｓ９）、その温度が予め定めた温度になるまでファン８を低速回転（Ｓ７）または高速回転させる（Ｓ２）。そして、ランプ１の温度が予め定めた温度になったらファン８を停止して、クールダウン処理を終了する（Ｓ４）。
【００１７】
上記のプロジェクタは、プロジェクタの電源のＯＦＦに伴うランプ１のクールダウン処理を、プロジェクタの使用状況に合わせて、その処理を短時間で完了させる態様と、その処理時間を長くして低騒音で実行させる態様の２通りを備えているので、利用者にとって使い勝手の良いプロジェクタとなっている。
【００１８】
なお、本発明における、プロジェクタ外部からの操作によることなく、制御部７に予め設定した作用により自動的にプロジェクタの電源がＯＦＦになる態様は、前述した２ａ〜２ｃに限られるものではなく、他の任意の態様をも含むものである。
また、本発明における、ファン８の回転速度に関連する低速（第１速）または高速（第２速）の用語は、これら第１速と第２速との間の相対的関係を示すものとして用いたものであり、具体的な値を指しているわけではない。
また、クールダウン時のファンを止める条件は、上記に示した温度ではなく、高速回転、低速回転でそれぞれ定めた時間の経過によることとしてもよい。
【図面の簡単な説明】
【００１９】
【図１】本発明の実施形態に係るプロジェクタの構成を示すブロック図。
【図２】図１に示すプロジェクタのクールダウン処理を示すフローチャート。
【符号の説明】
【００２０】
１…ランプ、１Ａ…ランプ駆動回路、２…画像処理回路、２Ｉ…画像信号入力部、２Ｒ，２Ｇ，２Ｂ…液晶パネル、３…色光分離光学系、４…クロスダイクロイックプリズム、５…投写レンズ、６…スピーカ、６Ａ…音声処理回路、７…制御部、８…ファン、８Ａ…ファン駆動回路、９…操作部、９Ａ…電源スイッチ、９Ｂ…タイマー、９Ｃ…切替スイッチ、１０…電源部、１１…温度センサ。
【図１】
2005227537.tif 000003
【図２】
2005227537.tif 000004